【事件の表示】
　特願２０１３−２３８２８６「カットいれパンツ」拒絶査定不服審判事件〔平成２７年　４月２７日出願公開、特開２０１５−　８１４０５〕について、次のとおり審決する。
【結　論】
　本件審判の請求は、成り立たない。
【理　由】
１．手続の経緯 
　本件は、平成２５年１０月２４日の出願であって、平成２６年３月２７日付けで拒絶理由が通知され、平成２６年４月１１日に手続補正書が提出されたが、平成２６年８月２７日付けで最後の拒絶理由が通知され、平成２６年９月２９日に手続補正書が提出されたが、平成２６年１１月５日付けで拒絶査定がなされた。
　これに対して、平成２７年２月１６日に拒絶査定不服審判が請求され、平成２８年３月１８日付けで当審より拒絶理由が通知され、その指定期間内である平成２８年５月２３日に意見書が提出されたものである。
 　 
２．請求項１に係る発明 
「下着として用いるパンツの、前面の、幅１５ｓｍから３５ｓｍの範囲の中でいずれかの寸法で左右対称になるところでカットを入れた、カットいれパンツである。」（以下、「本願発明」という。なお、「幅１５ｓｍから３５ｓｍの範囲」は、平成２８年５月２３日付けの意見書で釈明されているとおり、正しくは「幅１５ｃｍから３５ｃｍの範囲」である。） 
 　 
３．当審の拒絶理由
　一方、当審において平成２８年３月１８日付けで通知した拒絶の理由のうち、「理由１」の拒絶の理由は、本願発明は、本件の出願前日本国内において頒布された刊行物である、引用文献１、２に記載された発明に基いて、その出願前にその発明の属する技術の分野における通常の知識を有する者が容易に発明をすることができたものであるから、特許法第２９条第２項の規定により特許を受けることができない、というものである。
　
４．引用文献記載の発明及び技術的事項 
（１）当審の拒絶の理由に引用文献１として引用された、登録実用新案第３１８４５１７号公報（以下、同じく「引用文献１」という。）には、「下着」について、以下の技術的事項及び発明が記載されている。 
ア　「本考案は上記問題点に鑑みてなされたものであり、尿汚れを確実に防止するとともに、通常の排尿操作を容易に行うことのできる下着を提供することを目的とする。」（段落【０００７】）　 
イ　「図１に示すように、下着２は、股支持部１０と、スリット２０Ｓが形成された開口部２０とを備える。股支持部１０は、装着状態にて股部分Ｍ（図１（Ｂ）参照）を支持するものであり、下着２のうち前面側の中央部分に位置する。開口部２０は、下着２の前面側において、股支持部１０の左右方向の両側近傍に位置する。スリット２０Ｓは、装着状態のまま、股部分Ｍ（図１（Ｂ）参照）を露出するためのもの、または、装着状態のまま、被装着部位及び外部の連通空間を形成するためのものである。被装着部位としては、（例えば、図１（Ｂ）に示す、そけい部Ｂなどがある。 
　このような下着２は、複数のシートをつなぎ合わせることによって形成される。図２（Ａ）に示すように、下着２の前面側は、第１〜第３シート３１〜３３によって形成される。 
・・・・ 
　上下方向において、重なり部３０Ｗを形成する各シート３１〜３３の上端部と下端部には、重なる２つのシート同士が縫い付けられる縫い付けエリア３０ＷＡが形成され、中央部には、重なる２つのシート同士が互いに縫い付けられない非縫い付けエリア３０ＷＢが形成される。この非縫い付けエリア３０ＷＢにより、スリット２０Ｓ（図２（Ａ）参照）が形成される。このようにして形成されたスリット２０Ｓは、上下方向に延びる。なお、スリット２０Ｓは、斜め方向に延びてもよい。 
　ここで、第２左部分３２Ｌは、右端部３１Ｒの内面側に、そして、第３右部分３３Ｒは、左端部３１Ｌの内面側に、それぞれ位置することが好ましい。これにより、スリット２０Ｓは、装着状態において、体の中心から外側に向かって開口する。・・・・」（段落【００１３】〜【００１９】） 
ウ　「図１に示すようにして、下着２を装着した状態では、股支持部１０が股部分Ｍを支持する。さらに、股支持部１０を形成する股支持部用形成部３１Ｃには、吸液性を有する吸液シート４０が設けられるため、尿漏れが発生した場合であっても、吸液シート４０が漏れ出した尿を吸収する。この結果、尿汚れを確実に抑えることができる。また、通常の排尿時には、股支持部１０の近傍に設けられたスリット２０Ｓ（図１（Ｂ）参照）から、陰茎を外部へ露出することができるため、排尿準備をスムーズに行うことができる。さらに、スリット２０Ｓは、股支持部１０の左右方向の両側に位置するため、装着者の利き腕によらずに、スムーズな排尿操作を実現できる。 
・・・・ 
　上記の下着は、男性用としてはもちろんのこと、女性用としても利用可能である。また、上記の下着は、ブリーフ、トランクスといった類に限られず、タイツ（下半身型や全身型）などでもよい。 
　上記の下着においては、スリット２０Ｓを設けたが、本考案はこれに限られない。すなわち、本考案の下着において、スリット２０Ｓに代えて、孔を設けてもよい。」（段落【００２４】〜【００２６】） 
 　 
　引用文献１には、「下着」について、 
　上記アの記載によれば、この「下着」は「通常の排尿操作を容易に行うことができる」ものであり、 
　上記イの記載によれば、「下着は、股支持部と、スリットが形成された開口部とを備え」、「股支持部は、装着状態にて股部分を支持するものであり、下着のうち前面側の中央部分に位置」し、「開口部は、下着の前面側において、股支持部の左右方向の両側近傍に位置する」ものであると記載され、
　上記ウの記載によれば、開口部に設けられるスリットに代えて「孔」を設けてもよいことが記載されている。　 
　よって、引用文献１には、 
「下着は、股支持部と、開口部とを備え、股支持部は、装着状態にて股部分を支持するものであり、下着のうち前面側の中央部分に位置し、開口部は、下着の前面側において、股支持部の左右方向の両側近傍に位置するものであり、開口部にはスリット又は孔が形成され、通常の排尿操作を容易に行うことができる下着。」の発明（以下、「引用発明」という。）が記載されていると認められる。 
 　　 
（２）同じく当審の拒絶の理由に引用文献２として引用された、実願昭５４−１４４１０１号（実開昭５６−６０７０４号）のマイクロフィルム（以下、同じく「引用文献２」という。）には、「パンツ」について、以下の技術的事項が記載されている。 
ア　「そこでこの考案は上記の欠点を除去し、履き心地がよく、又、小用を足し易く、身体にフイツトしたパンツを提供するものである。」（１頁下から６行〜４行）
イ　「以下、図面に従つてこの考案の一実施例を述べると、パンツにおいて、少なくとも一側面の下端より上方に向う任意の長さのスリツト（２）を形成したものである。従つて場合によつてはスリツト（２）は両側面に設けてもよい。」（１頁下から３行〜２頁２行）
ウ　「この考案によると、パンツの一側面の下端にスリツト（２）を形成するため、パンツ（１）の内股（ａ）から側面（ｂ）までの長さｘより、内股（ａ）からスリット（２）の上端部（ｂ’）までの長さｘ’の方が長く、従つて余裕が生じ、又、内股（ａ）、側面（ｂ）、そしてスリツト（２）の上端部（ｂ’）の足開口部片が捲り易く、従つて小用を足し易い。」（２頁３〜９行）
 　 
５．対比 
（１）ア　引用発明の「下着」は、引用文献１の記載（前記４．（１）ウ）によれば、ブリーフやトランクスが想定されるものであるから、本願発明の「パンツ」に相当するものといえる。 
イ　また、引用発明の「スリット又は孔」は、引用文献１の記載（前記４．（１）ウ）によれば、「陰茎を外部へ露出することができるため、排尿準備をスムーズに行うことができる」ように下着に設けた開口である。
　一方、本願発明の「カットを入れた」ことについて、本願明細書の段落【０００１】によれば「またの付け根から１０ｓｍほどカットしてある」ものとされ、平成２８年５月２３日付けの意見書では、請求人が「本発明は、裾から長くカットしてあるためはくことにより　パンツのカットした上の部分が５ｃｍほど開きます、裾のほうは１５ｃｍほど開きます。」と説明していることからみて、「カットを入れた」ことは、パンツが「カットを入れた」状態を意味することは明らかである。そして、この「カットを入れた」ことにより、「ズボンのファスナーを下げ小便をするときは、指先を太ももの下部に入れるだけで、しぜんに指先を上に上げるだけで股間に届く」（本願明細書段落【０００５】）という効果を奏するものである。
　そうすると、引用発明の下着に設けられた「スリット又は孔」と、本願発明の「カットを入れた」こととは、ともにパンツに小便をしやすくするために設けた開口であるという限りにおいて一致する。 
ウ　そして、このパンツに小便をしやすくするために設けた開口の配置位置について、本願発明は、パンツの「前面の、幅１５ｓｍから３５ｓｍの範囲の中でいずれかの寸法で左右対称になるところ」に設けたのに対し、引用発明は、「下着の前面側において、股支持部の左右方向の両側近傍に位置するもの」である。
　ここで、本願の図面には、パンツ前面に裾から２つ、カット（切り込み）があることが示されており、また、平成２８年５月２３日付けの意見書では「１５ｃｍ以下だと、股間が露呈します、また、３５ｃｍ以上だと、カットの幅が広すぎて小便がしにくいです。」と主張していることからすると、本願発明の「幅１５ｓｍから３５ｓｍの範囲」は、２つの「カット」の間隔が「１５ｃｍから３５ｃｍの範囲」を意味するものと理解できる。
　また、体の左右の中心に股間が位置するから、「左右対称」とは、「カット」が体の左右の中心を挟んで左右対称の位置にあることを意味するものと理解できる。
　そうすると、パンツに小便をしやすくするために設けた開口の配置位置について、本願発明と引用発明とは、ともにパンツの前面の左右両側に設けられているという限りにおいて一致する。
　
（２）よって、本願発明と引用発明は、 
「下着として用いるパンツの、前面の左右両側に、小便をしやすくするために設けた開口を備えたパンツ」について一致し、以下の点で相違する。 
 　 
《相違点１》 
　小便をしやすくするために設けた開口の形状について、本願発明が「カットを入れた」ものであるのに対し、引用発明は「スリット又は孔」である点。
　
《相違点２》 
　小便をしやすくするために設けた開口の配置位置について、本願発明が「前面の、幅１５ｓｍから３５ｓｍの範囲の中でいずれかの寸法で左右対称になるところ」に設けるのに対し、引用発明は「下着の前面側において、股支持部の左右方向の両側近傍に位置するもの」である点。 
 　 
６．当審の判断
　上記相違点について検討する。 
（１）相違点１について 
　本願発明の「カットを入れた」こととは、前記５．（１）イで述べたように、パンツに対して「カットを入れた」状態をいい、このことにより、平成２８年５月２３日付けの意見書によれば「裾から長くカットしてあるためはくことにより　パンツのカットした上の部分が５ｃｍほど開きます、裾のほうは１５ｃｍほど開きます。そこに指先を入れると簡単に股間に届」くようにできるものである。
　一方、引用文献２には、「履き心地がよく、又、小用を足し易く」するために、パンツの「下端より上方に向う任意の長さのスリツトを形成し」、これにより「スリツトの上端部の足開口部片が捲り易く、従つて小用を足し易い」ようにできる旨記載されている。
　引用発明は、排尿準備をスムーズに行うことができるようにするために、「スリット又は孔」を設けたものであり、かかる課題を踏まえ、この「スリット又は孔」を、引用文献２に記載されたように、スリットをパンツの下端（裾）から形成することにより、パンツを捲り易くして、小用を足し易くすることは、当業者が容易に想到し得たものである。
　
（２）相違点２について
　本願明細書の記載によれば、本願発明により、「ズボンのファスナーを下げ小便をするときは、指先を太ももの下部に入れるだけで、しぜんに指先を上に上げるだけで股間に届く」（段落【０００５】）という効果を奏するものである。 
　一方、引用発明の下着も、引用文献１の記載（前記４．（１）ウ）によれば、「股支持部１０の近傍に設けられたスリット２０Ｓ（図１（Ｂ）参照）から、陰茎を外部へ露出することができるため、排尿準備をスムーズに行うことができる。さらに、スリット２０Ｓは、股支持部１０の左右方向の両側に位置するため、装着者の利き腕によらずに、スムーズな排尿操作を実現できる」ものであり、その開口としての「スリット（孔）」は、陰部両側近傍の、人の手が届きやすい位置に配置されるはずであるから、人の標準的な体型（ウエストや陰部の大きさ等）を考慮して、本願発明のように「前面の、幅１５ｓｍから３５ｓｍの範囲の中でいずれかの寸法で左右対称になるところ」に設けることは、当業者が容易になし得たものである。 
 　 
（３）請求人は、審判請求書において、「パンツに切れ目を入れてみたらどうかと考え、カットを入れました。はくことにより図２のように裾が大きく広がっていました。股間に指が簡単に届くことを発見しました　子供の時より小便は裾をめくりあげてするものだという観念を破ったのだと思います。」と主張する。
　しかし、パンツを履いた際に裾が広がる場合があるとしても、それはパンツの大きさと着用者の体型との関係で決まることであって、着用者の太もももの太さに対して、パンツの足を通す部分の大きさが十分大きければ、パンツの裾はゆったりして広がらないし、逆に、太ももの太さに対してパンツの足を通す部分が細ければ、太ももの太さに応じてスリットが開くことは明らかであるから、請求人が主張する上記効果は、引用発明及び引用文献２の記載事項から、当業者が予測できるものである。
　
（４）したがって、本願発明は、引用発明及び引用文献２記載の技術的事項に基いて、当業者が容易に発明をすることができたものである。 
 　 
７．むすび
　以上によれば、本願発明は、特許法第２９条第２項の規定により特許を受けることができないものであり、本願は拒絶されるべきものである。 
　よって、結論のとおり審決する。 
 　 
　なお、この審決は、特許法に基づく、特許請求の範囲、明細書及び図面の記載から判断したものであって、カットいれパンツの実物について判断したものではありません。